(57)【要約】【課題】鏡に近接配置される付帯器具を鏡裏の空間に効率的に配置して、使い勝手の向上を図ると共にコスト的に有利でかつ全体としてデザイン的にスッキリ感が得られる鏡の取付構造を提供する。【解決手段】鏡を壁面の表面から浮かせることで鏡裏面に空間を形成して当該壁面に取り付けると共に、前記空間の少なくとも一部を利用して照明器具、収納器具、水栓器具等の付帯器具の少なくとも一つを取り付けることを特徴とする。前記空間は、例えばその内部に前記照明器具の全体が配置されると共に前記収納器具の一部が配置される。【選択図】　図１
2004033336.tif 000002
【特許請求の範囲】
【請求項１】
室内の壁面に付帯器具と共に近接して取り付けられる鏡の取付構造であって、
前記鏡を壁面の表面から浮かせることで鏡裏面に空間を形成して当該壁面に取り付けると共に、前記空間の少なくとも一部を利用して前記付帯器具を取り付けることを特徴とする鏡の取付構造。
【請求項２】
前記付帯器具は、照明器具、収納器具、水栓器具の少なくとも一つであることを特徴とする請求項１に記載の鏡の取付構造。
【請求項３】
前記空間は、その内部に前記照明器具の全体が配置されると共に前記収納器具の一部が配置されることを特徴とする請求項１または２に記載の鏡の取付構造。
【請求項４】
前記壁面は、浴室ユニットのカウンター上部に設置される平面視円弧状部を有するパネルであることを特徴とする請求項１ないし３のいずれかに記載の鏡の取付構造。
【請求項５】
前記空間は、付帯器具が外方に突出しない外周部分がカバーで覆われていることを特徴とする請求項１ないし４のいずれかに記載の鏡の取付構造。
【発明の詳細な説明】
【０００１】
【発明の属する技術分野】
本発明は、例えば浴室ユニット、洗面室ユニット等における壁面への鏡の取付構造に関する。
【０００２】
【従来の技術】
従来、システムバスユニット等の浴室ユニットにおいては、洗い場のカウンター上部に鏡が取り付けられた例えばミラーパネルが設置されている。そして、このミラーパネルの鏡裏には所定の空間が形成され、この空間内に間接照明用の照明灯が配置されるかあるいは空間を収納物の収納部として使用するように構成されている。
【０００３】
【発明が解決しようとする課題】
しかしながら、このような鏡の取付構造にあっては、照明灯や収納部が外部から視認されないように隠す状態に設定されているため、空間自体の容積が小さく、例えば収納部として使用する場合に、収納物の収納量が少なくなると共に、収納物の出し入れが鏡の側方への出し入れとなって、実用に即した出し入れをスムーズに行うことが困難で、使い勝手の面で不十分であるという問題点を有している。また、鏡裏の狭い空間を照明灯の設置と収納部のいずれかに使用するようにしているため、部材数が多くなってコスト的に不利になり易いという問題点も有している。
【０００４】
本発明は、このような事情に鑑みてなされたもので、その目的は、鏡に近接配置される付帯器具を鏡裏の空間に効率的に配置して、使い勝手の向上を図ると共にコスト的に有利でかつ全体としてデザイン的にスッキリ感が得られる鏡の取付構造を提供することにある。
【０００５】
【課題を解決するための手段】
かかる目的を達成すべく、本発明のうち請求項１に記載の発明は、室内の一壁面に付帯器具と共に近接して取り付けられる鏡の取付構造であって、前記鏡を壁面の表面から浮かせることで鏡裏面に空間を形成して当該壁面に取り付けると共に、前記空間の少なくとも一部を利用して前記付帯器具を取り付けることを特徴とする。
【０００６】
このように構成することにより、浴室ユニットの例えば洗い場のカウンター上部の一壁面に取り付けられる鏡は、壁面の表面から所定高さ浮かせて取り付けられることで鏡裏に所定容積の空間が形成され、この空間の全体や一部を利用して付帯器具が取り付けられる。この時、鏡裏に比較的広い容積の空間が形成され、この空間を利用して付帯器具を取り付けできることから、鏡と付帯器具の壁面への効率的な配置が可能になり、鏡や付帯器具の使い勝手の向上が図れると共に、部材数等を低減させてコストダウンが図れ、かつ鏡の取付部分がスッキリする等デザイン性の向上が図れる。
【０００７】
そして、前記付帯器具は、請求項２に記載の発明のように、照明器具、収納器具、水栓器具の少なくとも一つであることが好ましい。このように構成することにより、鏡裏の空間を利用して間接照明用の照明器具や収納棚等の収納器具あるいは水栓器具等が取り付けられることから、鏡の周囲に設置される付帯器具が鏡と共に壁面に一層効率的に配置される。
【０００８】
また、前記空間は、請求項３に記載の発明のように、その内部に前記照明器具の全体が配置されると共に前記収納器具の一部が配置されることが好ましい。このように構成することにより、間接照明用の照明器具の全体が鏡裏の空間内に配置され、収納器具の一部が空間内に配置されることから、空間内の照明器具によって良好な間接照明が得られ、鏡裏の空間内外に位置する収納棚によって収納物の収納量の一層の増量が図れる。
【０００９】
また、前記壁面は、請求項４に記載の発明のように、浴室ユニットのカウンター上部に設置される平面視円弧状部を有するパネルであることが好ましい。このように構成することにより、カウンター上部に設置される平面視円弧状部のパネルの最も凹んだ部分に鏡を取り付けることで、鏡裏の空間の容積を所定に確保した状態でパネルの表面からの鏡の突出高さを低くできて、室内の開放感（広さ感）の向上と鏡取付部分のデザイン性の一層の向上が図れる。
【００１０】
また、前記空間は、請求項５に記載の発明のように、付帯器具が外方に突出しない外周部分がカバーで覆われていることが好ましい。このように構成することにより、例えば鏡裏の空間のうち照明器具が配置される部分の外周部分にカバーを配設することで、効果的な間接照明を演出できると共に、鏡裏の空間に位置する収納棚に収納されている収納物を隠すことができて、鏡取付部分の見栄え（デザイン性）のより一層の向上が図れる。
【００１１】
【発明の実施の形態】
以下、本発明の実施の形態を図面に基づいて詳細に説明する。
図１〜図３は、本発明に係わる鏡の取付構造を浴室ユニットに適用した場合の一実施例を示し、図１がその浴室内部を示す斜視図、図２がその鏡取付部分の縦断面図、図３がその横断面図である。
【００１２】
図１において、浴室１は、防水パン上に浴槽２が配置されると共にこの浴槽２の側方に洗い場３が設けられ、これらが側壁としての４つの壁パネル４と例えばドーム型の天井パネル５によって囲まれることにより箱状に形成されている。洗い場３の壁パネル４ａ側には、洗面器置き用のカウンター６が設けられると共に、このカウンター６の上部には、ミラーパネル７が壁パネル４ａに共締め等により一体的に組み付けられている。
【００１３】
このミラーパネル７は、例えば人工大理石や一般の合成樹脂等によって一体成形され、幅方向の左右端部７ｂ、７ｃが前方に突出した平面視で略円弧形状に形成されている。そして、このミラーパネル７の表面７ａには、鏡８、収納器具としての収納棚９、照明器具としての間接照明装置１０、水栓器具としての水栓本体１１、水栓本体操作部１２及び吐水照明装置１３等が取り付けられている。
【００１４】
前記鏡８は、その全体形状が縦長の楕円形状に形成され、図２及び図３に示すように、その上下端部が例えば同一長さの支持杆１５と金属製の取付板１６等を介してミラーパネル７の表面７ａに垂直状態で取り付けられている。この時、支持杆１５を平面視で円弧状部の最も深い部分に取り付けることで、鏡８のミラーパネル７の表面７ａからの突出寸法をできるだけ小さく設定する。これにより、鏡８が支持杆１５によりミラーパネル７に対して浮いた状態で取り付けられ、鏡裏に所定の空間１７が形成されることになる。なお、上下の支持杆１５の長さを異ならせることにより、鏡８を上下方向において多少傾斜状態で取り付けることもできる。
【００１５】
そして、この鏡裏の空間１７を利用して前記各種付帯器具が取り付けられている。すなわち、前記収納棚９は、複数枚（図では４枚）例えばスリガラス板からなる棚板９ａ、９ｂを有し、空間１７部分に上下方向に所定の間隔を有して３枚の棚板９ａが取り付けられると共に、空間１７の下方にミラーパネル７の幅方向略全域に亘って１枚の棚板９ｂが取り付けられている。空間１７内に配置される３枚の棚板９ａは、その左端部が鏡８の縦の中心線近傍に位置し、その右端部がミラーパネル７の右側の端部７ｃ近傍に位置するように取り付けられている。
【００１６】
また、各棚板９ａはその一方の端部が、また棚板９ｂはその両端部が、棚支持杆１８にそれぞれ支持されている。この棚支持杆１８は、図２に示すように、外周面に軸方向に沿った溝１８ａが形成されると共に、先端部の軸芯位置にネジ孔が形成され、このネジ孔にネジ部付きのキャップ１９がねじ込まれている。このキャップ１９により、溝１８ａに挿入された棚板９ａ、９ｂの前方への抜けが防止されている。そして、収納棚９の空間１７内に位置する部分に収納された収納物は鏡８によって隠されて前方から視認されず、略空間１７外に位置する収納物は前方から直接視認されることになる。
【００１７】
前記間接照明装置１０は、図２及び図３に示すように、例えば管状蛍光灯からなる照明灯１０ａやカバー１０ｂ等を有し、鏡裏の空間１７内で反収納棚９部分に上下方向に指向して取り付けられている。この間接照明装置１０の照明光が、図３の矢印イの如くミラーパネル７の円弧形状の表面７ａで反射されつつ浴室１内に照射され、鏡８の側方に所定の光の演出効果が得られることになる。
【００１８】
この間接照明装置１０は、浴室１の入口や浴槽２近傍の壁パネル４に設けた操作盤の操作スイッチ（図示せず）によって点灯・消滅するようになっている。なお、間接照明装置１０の照明灯１０ａとしては、管状蛍光灯に限らず、例えば球状蛍光灯１０ａ（図４参照）を複数個上下方向に配置して取り付けることができるし、他の適宜の電球や適宜の個数を使用することもできる。
【００１９】
前記水栓本体１１は、例えばビルトイン式の水栓本体で形成されて鏡裏の空間１７の下部に配置され、その水栓本体操作部１２が空間１７の側方に突出する状態で取り付けられると共に、その吐水口１１ａが吐水照明装置１３部分に取り付けられている。そして、鏡８の下部側方に突出する水栓本体操作部１２を操作しと所定温度に設定すると共に、例えば水栓本体１１の下方に位置する吐水照明装置１３部分に設けられた図示しない操作部をタッチ（もしくはプッシュ）操作することにより、吐水照明装置１３部分に設けられた吐水口１１ａから下方のカウンター６上に水や湯が吐水されるようになっている。
【００２０】
なお、前記収納棚９の最下段の棚板９ｂの長手方向の略中心位置には、前記吐水照明装置１３が取り付けられている。この吐水照明装置１３は、カバー１３ａで覆われた照明灯１３ｂを有し、吐水照明装置１３の図示しない操作部を操作することより、照明灯１３ｂが点灯するようになっている。そして、この照明灯１３ｂの点灯により、前記吐水口１１ａから吐水される水等が照明される。
【００２１】
また、図１に示すように、ミラーパネル７の上部には、壁面演出用のダウンライト２０が２個配置されており、このダウンライト２０は間接照明装置１０と同様に、浴室１入口や浴槽２近傍の操作盤の操作スイッチによって点灯・消滅するようになっている。そして、このダウンライト２０と、間接照明装置１０や吐水照明装置１３あるいは図示しない浴室照明装置等を例えば同時に点灯させたり、浴室照明装置が消灯している時に、ダウンライト２０や間接照明装置１０を点灯させる等、関連付けて点灯させることにより、浴室１内のミラーパネル７部分に幻想的な雰囲気の照明（光による演出効果）が得られることになる。
【００２２】
この浴室１のミラーパネル７によれば、先ず、浴室１内で使用するシャンプー、リンス、入浴剤、浴槽洗剤、洗浄用スポンジ等の収納物を収納する場合、通常使用しないストック分は収納棚９の空間１７内の棚板９ａ上に載置して収納し、洗い場から直接視認されないようにする。また、例えば使用中の収納物は収納棚９の空間１７外の棚板９ａ上に載置して収納する。これにより、常時使用する収納物の収納棚９からの出し入れが容易になると共に、常時使用しない収納物も手を少し伸ばすことで出し入れすることができて、従来の鏡裏に完全に隠す場合に比較して出し入れ作業が容易に行える。
【００２３】
一方、入浴者が入浴しようとする場合は、所定のスイッチを操作して間接照明装置１０やダウンライト２０を点灯させ、ミラーパネル７部分を所定の明るさに設定することで、鏡８部分に所定の雰囲気を醸し出しつつ入浴できる。また、この入浴時に、水栓本体１１の吐水口１１ａから吐水する場合は、吐水照明装置１３の図示しない操作部を操作して点灯させ、吐水位置を明確に視認させる。また、吐水用の操作部（吐水照明装置１３）や水栓本体操作部１２が、鏡８の下部に設けられていることから、入浴者が洗い場３に座った際に最適高さ位置に操作部や水栓本体操作部１２が位置して、吐水操作や温度調整等の操作が容易に行えることになる。
【００２４】
つまり、このミラーパネル７の場合、鏡８をミラーパネル７の表面７ａから浮かせて取り付けることにより鏡裏に所定容積の空間１７を形成し、この空間１７内に間接照明装置１０を取り付けると共に、収納棚９の棚板９ａの一部である左端部側を位置させ、かつ水栓本体１１等を位置させることで、空間１７を各付帯器具の取付空間として有効利用できることになる。
【００２５】
このように、上記実施例の鏡８のミラーパネル７への取付構造にあっては、鏡８を所定長さの支持杆１５によってミラーパネル７の表面７ａから浮かせて取り付けることで鏡裏に空間１７を形成し、この空間１７を利用して、照明器具としての間接照明器具１０や収納器具としての収納棚９及び水栓器具としての水栓本体１１を取り付けているため、空間１７を有効利用しつつ３つの付帯器具を鏡８の近辺に効率的に配置して取り付けることができる。
【００２６】
特に、収納棚９の３枚の棚板９ａの左端部側を空間１７内に位置させ右端部側を空間１７外に突出させて取り付けているため、棚板９ａの面積を大きく、すなわち収納棚９への収納物の収納量を多くすることができると共に、棚板９ａの空間１７内に位置する部分にストック分の収納物を収納し、棚板９ａの空間１７外の位置する部分に常時使用する収納物を出し入れ容易に収納できる。
【００２７】
また同時に、棚板９ａの空間１７内に位置する収納物も、空間１７の側方が開放されていることから、その出し入れが容易になると共に、支持杆１８の先端にねじ込まれたキャップ１９を取り外すことで棚板９ａ、９ｂを取り外すことができて、棚板９ａ、９ｂの洗浄や他の棚板や板体への交換が容易に行える等、収納棚９のメンテナンスも容易となる。これらにより、収納棚９を実用に即した構造とすることができて、その使い勝手の向上を図ることが可能になる。
【００２８】
また、間接照明装置１０が鏡８の表面側から完全に隠れた状態で鏡裏の空間１７内に取り付けられるため、間接照明装置１０の照明灯１０ａでミラーパネル７の円弧形状の浴槽側端部７ｂを照らすことにより、ミラーパネル７部分に効果的な間接照明を得ることができて、ミラーパネル７の上部に設けたダウンライト２０や吐水照明装置１３と併せて浴室１内のミラーパネル７部分に光による幻想的な雰囲気を醸し出すことが可能になる。
【００２９】
さらに、ビルトイン式の水栓本体１１の吐水用の操作部や水栓本体操作部１２が鏡８の下部に取り付けられているため、操作に適した高さ位置に水栓本体操作部１２等を取り付けることができて、その操作性を向上させることができる。また同時に、水栓本体１１の空間１７内への取り付けや、前記間接照明装置１０の空間１７内への取り付け及び縦長の楕円形状の鏡８の形状等により、鏡８の周囲にスッキリとしたデザイン性が得られ、前記照明効果と併せ、意匠的に優れた浴室１を得ることが可能になる。
【００３０】
また、ミラーパネル７の表面７ａが平面視で略円弧形状に形成されているため、その最深部に支持杆１５を位置させることで、空間１７の容積を大きく減少させることなく鏡８のミラーパネル７（壁パネル４ａ）に対する突出寸法を小さくできて、ミラーパネル７部分の突起物による浴室１内の開放感（広さ感）の低下をも防止することができる。
【００３１】
また、鏡８の形状が縦長の楕円形状に形成されているため、鏡８を上下２本の支持杆１５で支持することで所定の取付強度を確保することができると共に、各付帯器具が空間１７内にそれぞれの部材で固定されるため、取り付けに際して不要となる部材がなくなり、使用する部材数が低減化されてコスト的に安価な取付構造を得ることが可能になる。
【００３２】
図４と図５は、それぞれ上記実施例の変形例を示している。以下、上記実施例と同一部位には同一符号を付して説明する。先ず、図４に示す変形例の取付構造は、水栓本体操作部１２を鏡８の下部両側方に突出させて左右一対の水栓本体操作部１２ａ、１２ｂとし、収納棚９の最下段の棚板９ｂを鏡裏の空間１７下部を貫通させて、鏡８の左右両側に突出させて取り付けると共に、吐水口１１ａを鏡８の下端部に配置するようにしたものである。
【００３３】
この場合、収納棚のうち最下段の棚板９ａに、空間１７の下部に配置されることから、間接照明装置１０の取り付けには何等支障とならず、この変形例においても、上記実施例と同様の作用効果が得られる他に、最下段の棚板９ｂ上の左右に収納物を収納できることから、常時使用する収納物を入浴者により近い位置に収納できるという作用効果が得られる。なお、この例においては、水栓本体操作部１２ａ、１２ｂの一方を吐水用の操作部として機能させることもできるが、例えば鏡８下端部外周で吐水口１１ａ部分にスイッチ機能を有するカバーを配置し、このカバーに入浴者がタッチすることで吐水口１１ａから湯等を吐水させる構成とすることもできる。
【００３４】
また、図５に示す取付構造は、鏡裏の空間１７の間接照明装置１０側の外周部に鏡側面カバー２１を配設するようにしたものである。この場合、鏡側面カバーは、正面視で鏡８と同一の楕円形状に形成し、その前端部に凹部２１ａを形成すると共に、収納棚９部分に棚板９ａの外方への突出を可能にする開口２１ｂと、この開口２１ｂの反対側に所定の光透過率を有する樹脂からなる照明カバー２１ｃとを形成する。
【００３５】
この変形例においても、上記実施例と同様の作用効果が得られる他に、照明カバー２１ｃの光透過率を所定に設定することで、間接照明装置１０の照明光が所定の状態で外部に照射され、上記実施例のように直接照射される場合と異なる雰囲気の間接照明状態が得られると共に、浴槽２内から空間１７内の間接照明装置１０や空間１７内の収納棚９に収納されている収納物が直接視認されることがなくなって、意匠的価値の一層の向上が図れるという作用効果が得られる。
【００３６】
なお、本発明は、上記した実施例や変形例のそれぞれに限定されるものでもなく、各実施例や変形例の全部もしくは一部を適宜に組み合せることができる。また、上記各実施例においては、鏡８が取り付けられるパネルが平面視略円弧形状のミラーパネル７である場合について説明したが、本発明はこれに何等限定されず、例えば図３の二点鎖線ａで示すように、ミラーパネル７の右側の端部７ｃ側を略平坦に形成する等、適宜の形状を採用でき、このミラーパネル７の表面形状に対応して収納棚９の棚板９ａの形状も曲線状や直線状の適宜の形状に設定される。
【００３７】
さらに、上記実施例においては、鏡８を縦長の楕円形状に形成したが、例えば縦長の長方形状に形成することもできる。また、上記実施例においては、鏡裏の空間１７に間接照明装置１０や収納棚９及び水栓本体１１の３つの付帯器具を全て取り付ける場合について説明したが、これらの付帯器具のうちの少なくとも一つを取り付ける構成とすることもできる。またさらに、上記実施例における収納棚９の棚数である棚板９ａ、９ｂの枚数、棚板９ａ、９ｂや鏡８をミラーパネル７に取り付ける支持杆１５、１８の構造等も一例であって、本発明に係わる各発明の要旨を逸脱しない範囲において適宜に変更することができる。
【００３８】
【発明の効果】
以上詳述したように、請求項１に記載の発明によれば、鏡裏に形成された比較的広い容積の空間を利用して付帯器具が取り付けられるため、鏡と付帯器具の壁面への効率的な配置が可能になり、鏡や付帯器具の使い勝手の向上を図ることができると共に、部材数等を低減させてコストダウンを図り、かつ鏡取付部分がスッキリする等デザイン性の向上を図ることができる。
【００３９】
また、請求項２に記載の発明によれば、請求項１に記載の発明の効果に加え、鏡裏の空間を利用して間接照明用の照明器具や収納棚等の収納器具あるいは水栓器具等が取り付けられるため、鏡の周囲に取り付けられる付帯器具が鏡と共に側面に一層効率的かつスッキリと取り付けることができる。
【００４０】
また、請求項３に記載の発明によれば、請求項１または２に記載の発明の効果に加え、間接照明用の照明器具の全体が鏡裏の空間内に配置され、収納器具の一部が空間内に配置されるため、空間内の照明器具によって良好な間接照明が得られ、鏡裏の空間内外に位置する収納器具によって収納物の収納量を一層増量させることができて、収納棚の使い勝手の一層の向上が図れる。
【００４１】
また、請求項４に記載の発明によれば、請求項１ないし３に記載の発明の効果に加え、カウンター上部に設置される平面視円弧形状のパネルの最も凹んだ部分に鏡を取り付けることができるため、鏡裏の空間の容積を所定に確保した状態でパネルの表面からの鏡の突出高さを低くすることができて、室内の開放感の向上と鏡取付部分のデザイン性の一層の向上を図ることができる。
【００４２】
また、請求項５に記載の発明によれば、請求項１ないし４に記載の発明の効果に加え、例えば鏡裏の空間のうち照明器具が配置される部分の外周部分がカバーで覆われるため、このカバーにより効果的な間接照明を演出できると共に、鏡裏の空間に位置する収納棚に収納されている収納物を隠すことができて、鏡取付部分のデザイン性のより一層の向上を図ることができる等の効果を奏する。
【図面の簡単な説明】
【図１】本発明に係わる鏡の取付構造を適用した浴室ユニットの一実施例を示す浴室内部の斜視図
【図２】同その鏡取付部分の縦断面図
【図３】同その横断面図
【図４】同鏡取付部分の変形例を示す正面図
【図５】同鏡取付部分の他の変形例を示す斜視図
【符号の説明】
１・・・・・・・・・・・・浴室
４、４ａ・・・・・・・・・壁パネル
６・・・・・・・・・・・・カウンター
７・・・・・・・・・・・・ミラーパネル
７ａ・・・・・・・・・・・表面
７ｂ、７ｃ・・・・・・・・端部
８・・・・・・・・・・・・鏡
９・・・・・・・・・・・・収納棚
９ａ、９ｂ・・・・・・・・棚板
１０・・・・・・・・・・・間接照明装置
１０ａ・・・・・・・・・・照明灯
１０ｂ・・・・・・・・・・カバー
１１・・・・・・・・・・・水栓本体
１１ａ・・・・・・・・・・吐水口
１２、１２ａ、１２ｂ・・・水栓本体操作部
１３・・・・・・・・・・・吐水照明装置
１３ａ・・・・・・・・・・カバー
１３ｂ・・・・・・・・・・照明灯
１５・・・・・・・・・・・支持杆
１６・・・・・・・・・・・取付板
１７・・・・・・・・・・・空間
１８・・・・・・・・・・・支持杆
１８ａ・・・・・・・・・・溝
１９・・・・・・・・・・・キャップ
２０・・・・・・・・・・・ダウンライト
２１・・・・・・・・・・・鏡側面カバー
【図１】
2004033336.tif 000003
【図２】
2004033336.tif 000004
【図３】
2004033336.tif 000005
【図４】
2004033336.tif 000006
【図５】
2004033336.tif 000007